(57)【要約】【課題】簡単な操作で、特定のアクセス方式のレピータにアクセスし特定の無線通信設定で通信可能な無線機を得ること。【解決手段】選択手段（ここではコールナンバー切替手段１および制御手段８）が、ユーザによる操作に応じて１または複数の所定のコールナンバーのいずれかを選択し、無線通信手段（ここではハードウェア制御手段４、送信回路５および受信回路６）が、選択手段により選択されたコールナンバーに対応するレピータおよびチャンネル番号を特定し、特定したレピータに対応したアクセス方式でそのレピータへアクセスし、特定したチャンネル番号で無線通信を行う。【選択図】　図１
2004128800.tif 000002
【特許請求の範囲】
【請求項１】
ユーザによる操作に応じて１または複数の所定の指定コードのいずれかを選択する選択手段と、
上記選択手段により選択された上記指定コードに対応するレピータおよびチャンネル番号を特定し、特定した上記レピータに対応したアクセス方式でそのレピータへアクセスし、特定した上記チャンネル番号で無線通信を行う無線通信手段と、
を備えることを特徴とする無線機。
【請求項２】
前記無線通信手段は、前記選択手段により選択された前記指定コードに対応する前記レピータ、前記チャンネル番号およびグループ番号を特定し、特定した前記レピータに対応したアクセス方式でそのレピータへアクセスし、特定した前記チャンネル番号および上記グループ番号で無線通信を行うことを特徴とする請求項１記載の無線機。
【請求項３】
前記無線通信手段は、前記選択手段により選択された前記指定コードに対応する前記レピータ、前記チャンネル番号および選択呼出コードを特定し、特定した前記レピータに対応したアクセス方式でそのレピータへアクセスし、特定した前記チャンネル番号および上記選択呼出コードで無線通信を行うことを特徴とする請求項１記載の無線機。
【請求項４】
前記選択手段は、ユーザによる操作に応じて、レピータアクセス用の前記指定コードおよびシンプレックスモード用の前記指定コードのうちのいずれか１つの前記指定コードを選択し、
前記無線通信手段は、前記選択手段によりレピータアクセス用の前記指定コードが選択された場合には、その指定コードに対応する前記レピータおよび前記チャンネル番号を特定し、特定した前記レピータに対応したアクセス方式でそのレピータへアクセスし、特定した前記チャンネル番号で無線通信を行い、前記選択手段によりシンプレックスモード用の前記指定コードが選択された場合には、その指定コードに対応する前記チャンネル番号を特定し、特定した前記チャンネル番号で無線通信を行うこと、
を特徴とする請求項１記載の無線機。
【請求項５】
前記無線通信手段は、前記選択手段によりレピータアクセス用の前記指定コードが選択された場合には、その指定コードに対応する前記レピータ、前記チャンネル番号およびグループ番号を特定し、特定した前記レピータに対応したアクセス方式でそのレピータへアクセスし、特定した前記チャンネル番号および上記グループ番号で無線通信を行い、前記選択手段によりシンプレックスモード用の前記指定コードが選択された場合には、その指定コードに対応する前記チャンネル番号およびグループ番号を特定し、特定した前記チャンネル番号および上記グループ番号で無線通信を行うことを特徴とする請求項４記載の無線機。
【請求項６】
前記無線通信手段は、前記選択手段によりレピータアクセス用の前記指定コードが選択された場合には、その指定コードに対応する前記レピータ、前記チャンネル番号および選択呼出コードを特定し、特定した前記レピータに対応したアクセス方式でそのレピータへアクセスし、特定した前記チャンネル番号および上記選択呼出コードで無線通信を行い、前記選択手段によりシンプレックスモード用の前記指定コードが選択された場合には、その指定コードに対応する前記チャンネル番号および選択呼出コードを特定し、特定した前記チャンネル番号および上記選択呼出コードで無線通信を行うことを特徴とする請求項４記載の無線機。
【発明の詳細な説明】
【０００１】
【発明の属する技術分野】
本発明は、無線機に関する。
【０００２】
【従来の技術】
従来の無線機には、無線中継器であるレピータを使用して他の無線機と無線通信を行うことが可能なものがある（例えば特許文献１参照）。
【０００３】
図６は、そのような従来の無線機の構成例を示すブロック図である。
【０００４】
図６に示す従来の無線機では、チャンネル切替手段１０１に対するユーザの操作、およびグループ切替手段１０２に対するユーザの操作に応じて、制御手段１０９は、ユーザにより選択されたチャンネルおよびグループを検知し、そのチャンネル番号およびグループ番号をチャンネルデータメモリ１０３に記憶するとともに、表示手段１０４に表示させる。そして、制御手段１０９は、ハードウェア制御手段１０５に動作指示を与えて送信回路１０６、受信回路１０７および電源回路１０８を制御させ、そのチャンネル番号およびグループ番号で他の無線機やレピータとの無線通信を行わせる。
【０００５】
図７は、従来の無線機によるレピータの利用について説明する図である。図７において、無線機２０１Ａ，２０２Ａは、上述のような従来の無線機であって、あるアクセス方式（以下、アクセス方式Ａという）でレピータ３０１Ａにアクセス可能な無線機であり、無線機２０１Ｂ，２０２Ｂは、上述のような従来の無線機であって、他のあるアクセス方式（以下、アクセス方式Ｂという）でレピータ３０１Ｂにアクセス可能な無線機である。
【０００６】
従来、図７に示すように互いに異なるアクセス方式の複数のレピータが存在する。そのため、アクセス方式Ａでレピータ３０１Ａにアクセス可能な無線機２０１Ａは、レピータ３０１Ｂにアクセスすることが困難であり、アクセス方式Ｂでレピータ３０１Ｂにアクセス可能な無線機２０１Ｂは、レピータ３０１Ａにアクセスすることが困難である。したがって、互いに異なるアクセス方式の複数のレピータを使用して他の無線機と交信するためには、それぞれのアクセス方式に対応した複数の無線機２０１Ａ，２０１Ｂ（２０２Ａ，２０２Ｂ）を使用する必要がある。
【０００７】
【特許文献１】
特許第２６６５１３２号公報（第１図、従来技術欄）
【０００８】
【発明が解決しようとする課題】
しかしながら、複数の無線機２０１Ａ，２０１Ｂを使用すると、全無線機に占める容積が大きくなったり、設備費用が多く必要になったりしてしまうという問題がある。また、従来の無線機では、レピータにアクセスする場合、使用するレピータに応じてチャンネルやグループといった無線通信設定を行う必要があるという問題がある。
【０００９】
本発明は、上記の問題に鑑みてなされたものであり、簡単な操作で、特定のアクセス方式のレピータにアクセスし特定の無線通信設定で通信可能な無線機を得ることを目的とする。
【００１０】
【課題を解決するための手段】
上記の課題を解決するために、本発明の無線機は、ユーザによる操作に応じて１または複数の所定の指定コードのいずれかを選択する選択手段と、選択手段により選択された指定コードに対応するレピータおよびチャンネル番号を特定し、特定したレピータに対応したアクセス方式でそのレピータへアクセスし、特定したチャンネル番号で無線通信を行う無線通信手段とを備える。
【００１１】
また、本発明の無線機は、上記発明の無線機に加え、無線通信手段が、選択手段により選択された指定コードに対応するレピータ、チャンネル番号およびグループ番号を特定し、特定したレピータに対応したアクセス方式でそのレピータへアクセスし、特定したチャンネル番号およびグループ番号で無線通信を行うようにしたものである。
【００１２】
また、本発明の無線機は、上記発明の無線機のいずれかに加え、無線通信手段が、選択手段により選択された指定コードに対応するレピータ、チャンネル番号および選択呼出コードを特定し、特定したレピータに対応したアクセス方式でそのレピータへアクセスし、特定したチャンネル番号および選択呼出コードで無線通信を行うようにしたものである。
【００１３】
また、本発明の無線機は、上記発明の無線機のいずれかに加え、選択手段が、ユーザによる操作に応じて、レピータアクセス用の指定コードおよびシンプレックスモード用の指定コードのうちのいずれか１つの指定コードを選択し、無線通信手段が、選択手段によりレピータアクセス用の指定コードが選択された場合には、その指定コードに対応するレピータおよびチャンネル番号を特定し、特定したレピータに対応したアクセス方式でそのレピータへアクセスし、特定したチャンネル番号で無線通信を行い、選択手段によりシンプレックスモード用の指定コードが選択された場合には、その指定コードに対応するチャンネル番号を特定し、特定したチャンネル番号で無線通信を行うようにしたものである。
【００１４】
また、本発明の無線機は、上記発明の無線機のいずれかに加え、無線通信手段が、選択手段によりレピータアクセス用の指定コードが選択された場合には、その指定コードに対応するレピータ、チャンネル番号およびグループ番号を特定し、特定したレピータに対応したアクセス方式でそのレピータへアクセスし、特定したチャンネル番号およびグループ番号で無線通信を行い、選択手段によりシンプレックスモード用の指定コードが選択された場合には、その指定コードに対応するチャンネル番号およびグループ番号を特定し、特定したチャンネル番号およびグループ番号で無線通信を行うようにしたものである。
【００１５】
また、本発明の無線機は、上記発明の無線機のいずれかに加え、無線通信手段が、選択手段によりレピータアクセス用の指定コードが選択された場合には、その指定コードに対応するレピータ、チャンネル番号および選択呼出コードを特定し、特定したレピータに対応したアクセス方式でそのレピータへアクセスし、特定したチャンネル番号および選択呼出コードで無線通信を行い、選択手段によりシンプレックスモード用の指定コードが選択された場合には、その指定コードに対応するチャンネル番号および選択呼出コードを特定し、特定したチャンネル番号および選択呼出コードで無線通信を行うようにしたものである。
【００１６】
【発明の実施の形態】
以下、図に基づいて本発明の実施の形態を説明する。
【００１７】
図１は、本発明の実施の形態に係る無線機の構成を示すブロック図である。図１において、コールナンバー切替手段１は、コールナンバー選択時のユーザによる操作に対応した信号を出力する装置である。コールナンバー切替手段１としては、例えばトグルスイッチ、タクトスイッチ、スライド式スイッチなどといったスイッチが使用される。
【００１８】
また、チャンネルデータメモリ２は、現在選択されているコールナンバーに対応するチャンネル番号、グループ番号などの無線通信設定情報を記憶するメモリである。なお、チャンネル番号とは、この無線機が無線通信に使用する周波数帯を特定する番号であり、グループ番号は、各グループに割り当てられた番号であり、交信相手を特定のグループに属する無線機のみに限定するために使用される番号である。
【００１９】
このチャンネルデータメモリ２には、例えばＲＡＭが使用される。ただし、無線機の次回の使用時に無線通信設定情報を利用する場合には、チャンネルデータメモリ２には不揮発性メモリが使用される。なお、チャンネルデータメモリ２には、さらに、現在選択されているコールナンバーに対応するレピータの情報が記憶されるようにしてもよい。
【００２０】
また、表示手段３は、現在選択されているコールナンバーを表示する装置である。表示手段３としては、液晶ディスプレイや、発光ダイオードを使用したインジケータなどが使用される。
【００２１】
また、ハードウェア制御手段４は、送信回路５、受信回路６および電源回路７といった各種機能を有する内部回路を制御する回路である。
【００２２】
また、送信回路５は、所定の変調方式に基づいて送信信号で搬送波を変調し、得られた変調信号を電力増幅して、電波としてアンテナから送出させる回路である。
【００２３】
また、受信回路６は、アンテナで感受された変調信号を所定の復調方式で復調し、他の無線機やレピータからの送信信号を受信する回路である。
【００２４】
また、電源回路７は、図示せぬバッテリやその他の電源からの電力を内部回路に供給する回路である。
【００２５】
また、制御手段８は、コールナンバー選択時におけるコールナンバー切替手段１に対するユーザの操作に対応した信号に基づいて、そのコールナンバーに対応するチャンネル番号などを特定し、特定したチャンネル番号などに応じて、ハードウェア制御手段４に動作指令を供給したり、表示手段３の表示状態を制御したりする回路である。さらに、制御手段８は、選択されたコールナンバーに対応するグループ番号、レピータの使用／不使用、レピータを使用する場合のレピータの種別などを、チャンネル番号とともに特定し、特定したグループ番号、レピータの使用／不使用、レピータを使用する場合のレピータの種別などに応じてハードウェア制御手段４に動作指令を供給したりする。なお、制御手段８は、例えば制御プログラムを実行するＣＰＵ、シーケンサなどとして実現可能である。
【００２６】
なお、コールナンバー切替手段１および制御手段８が、ユーザによる操作に応じて１または複数の所定のコールナンバーのいずれかを選択する選択手段として機能する。
【００２７】
また、ハードウェア制御手段４、送信回路５および受信回路６が、コールナンバー切替手段１および制御手段８により選択されたコールナンバーに対応するレピータ、チャンネル番号などを特定し、特定したレピータに対応したアクセス方式でそのレピータへアクセスし、特定したチャンネル番号などで無線通信を行う無線通信手段として機能する。
【００２８】
次に、上記装置の動作について説明する。
【００２９】
まず、この無線機の起動時に、制御手段８は、前回選択されたコールナンバーまたは既定のコールナンバーを選択し、そのコールナンバーを表示手段３に表示させる。また、制御手段８は、コールナンバー切替手段１がユーザにより操作され、あるコールナンバーが選択された場合、そのコールナンバーを表示手段３に表示させるとともに、そのコールナンバーに対応するチャンネル番号、グループ番号、レピータの使用／不使用、レピータを使用する場合のレピータの種別などを特定する。特定した無線通信設定であるチャンネル番号、グループ番号、レピータ種別などは、チャンネルデータメモリ２に記憶される。
【００３０】
そして、ユーザによる操作などに応じて、制御手段８は、特定した無線通信設定に基づいた動作指令をハードウェア制御手段４に供給する。ハードウェア制御手段４は、制御手段８からの動作指令に応じて、送信回路５、受信回路６および電源回路７を適宜制御し、他の無線機との無線通信を行ったり、レピータへアクセスしレピータを介して他の無線機との無線通信を行ったりする。その際、例えば、送信回路５は、グループ番号に対応する周波数のトーン信号を送出したり、送信回路５および受信回路６は、チャンネル番号に対応する周波数帯を使用したり、レピータ種別に対応するアクセス方式でレピータへアクセスしたりする。
【００３１】
図２は、本発明の実施の形態におけるコールナンバーとチャンネル番号、グループ番号およびレピータとの対応関係の一例を示す図である。図２に示すように、各コールナンバーに対して、所定のチャンネル番号および所定のグループ番号が割り当てられている。そして、レピータアクセス用のコールナンバーに対しては、さらに、レピータの種別が割り当てられている。すなわち、シンプレックスモード用のコールナンバーに対しては、レピータの種別が割り当てられていない。
【００３２】
図２に示す対応関係では、「１」から「５」までのコールナンバーがシンプレックスモード用のコールナンバーに、それに続く「６」から「１０」までのコールナンバーがレピータアクセス用のコールナンバーに設定されている。
【００３３】
例えば、シンプレックスモード用のコールナンバー「１」には、チャンネル番号「１」が割り当てられ、グループ番号が割り当てられていない。また、例えば、レピータアクセス用のコールナンバー「６」には、チャンネル番号「１」、グループ番号「５」および使用するレピータの種別（レピータ３０１Ａ、図３参照）が割り当てられている。また、この対応関係では、互いに異なるアクセス方式（アクセス方式Ａとアクセス方式Ｂ）の複数のレピータ３０１Ａ，３０１Ｂが混在して一連のコールナンバーに関連づけられている。
【００３４】
グループ呼出しなどを行わない場合には、そのコールナンバーには、コールナンバー「１」のようにグループ番号は割り当てられない。
【００３５】
なお、この対応関係については、制御手段８が制御プログラムの一部として保持していてもよいし、制御手段８の内部あるいは外部の図示せぬメモリ内にテーブルなどとして保持していてもよい。
【００３６】
次に、本実施の形態に係る無線機の動作の詳細について説明する。
【００３７】
シンプレックスモード用のコールナンバーが選択された場合、制御手段８は、そのコールナンバーに対応するチャンネル番号（および設定されている場合にはグループ番号）を特定する。そして、制御手段８は、シンプレックスモード用のコールナンバーが選択されていると、そのチャンネル番号（および設定されている場合にはグループ番号）で発信または着信するための動作指令をハードウェア制御手段４に供給する。ハードウェア制御手段４は、その動作指令を受け取ると、そのチャンネル番号（および設定されている場合にはグループ番号）で他の無線機へ向けて発信を行ったり、他の無線機からの着信を行ったりする。そして、他の無線機とのリンクが成立すると、その無線機との交信が行われる。音声通信の場合には、図示せぬマイクロホンで集音された音声の信号が送信され、受信された信号が図示せぬスピーカに供給され、その信号の対応する音声が出力される。
【００３８】
レピータアクセス用のコールナンバーが選択された場合、制御手段８は、そのコールナンバーに対応するチャンネル番号（および設定されている場合にはグループ番号）並びにレピータの種別を特定する。そして、制御手段８は、レピータアクセス用のコールナンバーが選択されていると、そのレピータの種別に対応するアクセス方式でレピータへアクセスし、そのチャンネル番号（および設定されている場合にはグループ番号）で発信または着信するための動作指令をハードウェア制御手段４に供給する。ハードウェア制御手段４は、その動作指令を受け取ると、そのチャンネル番号（および設定されている場合にはグループ番号）およびそのアクセス方式でレピータにアクセスする。ハードウェア制御手段４は、レピータへのアクセスに成功し、他の無線機とのリンクが成立すると、レピータを介してその無線機との交信が行われる。音声通信の場合には、図示せぬマイクロホンで集音された音声の信号が送信され、受信された信号が図示せぬスピーカに供給され、その信号の対応する音声が出力される。
【００３９】
図３は、本発明の実施の形態に係る無線機によるレピータの利用について説明する図である。無線機２１，２２は、この実施の形態に係る無線機であり、レピータ３０１Ａは、アクセス方式Ａでアクセスを受け付けるレピータであり、レピータ３０１Ｂは、アクセス方式Ａとは異なるアクセス方式Ｂでアクセスを受け付けるレピータである。
【００４０】
例えば、図２の対応関係が設定されている場合に、コールナンバー「８」が選択された場合には、制御手段８は、レピータ３０１Ａへのアクセスのための動作指令をハードウェア制御手段４に供給し、ハードウェア制御手段４は、送信回路５および受信回路６を制御して、アクセス方式Ａでレピータ３０１Ａへアクセスする。
【００４１】
図４は、レピータ３０１Ａのアクセス方式Ａの一例を説明するタイミングチャートである。
【００４２】
図４によるアクセス方式では、まず、期間Ｔａ１において、無線機２１が、トーン信号を送信し、レピータ３０１Ａがそのトーン信号を検出する。
【００４３】
そして、レピータ３０１Ａは、期間Ｔａ２において、無線機２１がトーン信号の送信を終了し、ビジーオフ状態にあることを検出し、期間Ｔａ３において、トーン信号を送信し、２つの無線機２１，２２は、そのトーン信号を検出する。
【００４４】
その後、無線機２２は、期間Ｔａ４において、レピータ３０１Ａがトーン信号の送信を終了し、ビジーオフ状態にあることを検出すると、期間Ｔａ５において、確認応答を送信する。これにより、無線機２１と無線機２２との間のリンクが成立し、レピータ３０１Ａは、無線機２１からの信号の連続送信を開始し、期間Ｔａ６において、無線機２１からの信号が無線機２２により受信される。
【００４５】
このアクセス方式Ａによると、相手局（ここでは無線機２２）からの確認応答時にリンクが成立するため、無線機２１は相手局との交信を確実に行うことができる。
【００４６】
一方、例えば、図２の対応関係が設定されている場合に、コールナンバー「９」が選択された場合には、制御手段８は、レピータ３０１Ｂへのアクセスのための動作指令をハードウェア制御手段４に供給し、ハードウェア制御手段４は、送信回路５および受信回路６を制御して、アクセス方式Ａとは異なるアクセス方式Ｂでレピータ３０１Ｂへアクセスする。
【００４７】
図５は、レピータ３０１Ｂのアクセス方式Ｂの一例を説明するタイミングチャートである。
【００４８】
図５によるアクセス方式では、まず、期間Ｔｂ１において、無線機２１が、トーン信号を送信し、レピータ３０１Ｂがそのトーン信号を検出する。
【００４９】
そして、レピータ３０１Ｂは、期間Ｔｂ２において、無線機２１がトーン信号の送信を終了し、ビジーオフ状態にあることを検出すると、信号の連続送信を開始し、まず、期間Ｔｂ３において、トーン信号を送信する。無線機２２がそのトーン信号を受信すると、無線機２１と無線機２２との間のリンクが成立し、それに続く期間Ｔｂ４において、無線機２２は、無線機２１の送信した信号をレピータ３０１Ｂから受信する。
【００５０】
そして、無線機２１の送信終了後、期間Ｔｂ５において、レピータ３０１Ｂのビジーオフ状態を検出すると、無線機２２は、期間Ｔｂ６において、レピータ３０１Ｂへ送信要求を送信し、信号の送信を開始する。無線機２１は、無線機２２の送信した信号をレピータ３０１Ｂから受信する。
【００５１】
このアクセス方式Ｂによると、レピータ３０１Ｂからの応答（トーン信号送出）時にリンクが成立するため、無線機２１から見て、無線機２１からのトーン信号に対する応答が早くなる。
【００５２】
このように、コールナンバーの切替操作のみで、アクセス方式などを意識することなく、異なるアクセス方式のレピータ３０１Ａ，３０１Ｂへアクセスし無線通信を行うことができる。
【００５３】
以上のように、上記実施の形態に係る無線機では、コールナンバー切替手段１および制御手段８が、ユーザによる操作に応じて１または複数の所定のコールナンバーのいずれかを選択し、ハードウェア制御手段４、送信回路５および受信回路６が、コールナンバー切替手段１および制御手段８により選択されたコールナンバーに対応するレピータ（レピータ３０１Ａまたはレピータ３０１Ｂ）およびチャンネル番号を特定し、特定したレピータに対応したアクセス方式でそのレピータへアクセスし、特定したチャンネル番号で無線通信を行う。
【００５４】
これにより、コールナンバーを選択入力するという簡単な操作で１台の無線機により、特定のアクセス方式のレピータにアクセスし特定の無線通信設定で通信を行うことができる。したがって、コールナンバーを変更することで、図３に示すように複数の種別のレピータ３０１Ａ，３０１Ｂにアクセスしそれに応じた無線通信設定で通信を行うことができる。
【００５５】
さらに、上記実施の形態に係る無線機は、複数種類のアクセス方式に対応可能であるので、この無線機を利用すれば、既存のアクセス方式のレピータシステムへ子機（無線機）を簡単に追加することができる。また、コールナンバーだけ選択入力すればよいので、チャンネルやグループといった無線通信の知識が乏しいユーザでも、簡単に、適切なレピータを選択し使用することができる。
【００５６】
また、上記実施の形態に係る無線機では、ハードウェア制御手段４、送信回路５および受信回路６が、コールナンバー切替手段１および制御手段８により選択されたコールナンバーに対応するレピータ（レピータ３０１Ａまたはレピータ３０１Ｂ）、チャンネル番号およびグループ番号を特定し、特定したレピータに対応したアクセス方式でそのレピータへアクセスし、特定したチャンネル番号およびグループ番号で無線通信を行う。
【００５７】
これにより、チャンネル番号およびグループ番号といった複数の無線通信設定項目があっても、コールナンバーを選択入力するという簡単な操作で１台の無線機により各種レピータを使用し、それに応じた無線通信設定で通信を行うことができる。
【００５８】
さらに、上記実施の形態に係る無線機では、コールナンバー切替手段１および制御手段８が、ユーザによる操作に応じて、レピータアクセス用のコールナンバーおよびシンプレックスモード用のコールナンバーのうちのいずれか１つのコールナンバーを選択し、ハードウェア制御手段４、送信回路５および受信回路６が、コールナンバー切替手段１および制御手段８によりレピータアクセス用のコールナンバーが選択された場合には、そのコールナンバーに対応するレピータおよびチャンネル番号を特定し、特定したレピータに対応したアクセス方式でそのレピータへアクセスし、特定したチャンネル番号で無線通信を行い、コールナンバー切替手段１および制御手段８によりシンプレックスモード用のコールナンバーが選択された場合には、そのコールナンバーに対応するチャンネル番号を特定し、特定したチャンネル番号で無線通信を行う。
【００５９】
これにより、さらに、レピータを使用して他の無線機と通信する場合でも、他の無線機と直接通信する場合でも、コールナンバーを選択入力するという簡単かつ同様の操作で１台の無線機により、通信を行うことができ、レピータ使用の場合とレピータ不使用の場合とで、無線通信設定をその都度設定しなおす必要がなくなる。
【００６０】
さらに、上記実施の形態に係る無線機では、ハードウェア制御手段４、送信回路５および受信回路６が、コールナンバー切替手段１および制御手段８によりレピータアクセス用のコールナンバーが選択された場合には、そのコールナンバーに対応するレピータ、チャンネル番号およびグループ番号を特定し、特定したレピータに対応したアクセス方式でそのレピータへアクセスし、特定したチャンネル番号およびグループ番号で無線通信を行い、コールナンバー切替手段１および制御手段８によりシンプレックスモード用のコールナンバーが選択された場合には、そのコールナンバーに対応するチャンネル番号を特定し、特定したチャンネル番号およびグループ番号で無線通信を行う。
【００６１】
これにより、さらに、チャンネル番号およびグループ番号といった複数の無線通信設定項目がある場合において、レピータを使用して他の無線機と通信するときでも、他の無線機と直接通信するときでも、コールナンバーを選択入力するという簡単な操作で１台の無線機により各種レピータを使用し、それに応じた無線通信設定で通信を行うことができる。
【００６２】
なお、上記実施の形態に係る無線機において、ハードウェア制御手段４、送信回路５および受信回路６が、コールナンバー切替手段１および制御手段８により選択されたコールナンバーに対応するレピータ、チャンネル番号および選択呼出コードを特定し、特定したレピータに対応したアクセス方式でそのレピータへアクセスし、特定したチャンネル番号および選択呼出コードで無線通信を行うようにしてもよい。ここで、選択呼出コードは、特定の無線機を呼び出すためのコードである。
【００６３】
これにより、チャンネル番号および選択呼出コードといった複数の無線通信設定項目があっても、コールナンバーを選択入力するという簡単な操作で１台の無線機により各種レピータを使用し、それに応じた無線通信設定で通信を行うことができる。
【００６４】
また、上記実施の形態に係る無線機において、ハードウェア制御手段４、送信回路５および受信回路６が、コールナンバー切替手段１および制御手段８によりレピータアクセス用のコールナンバーが選択された場合には、そのコールナンバーに対応するレピータ、チャンネル番号および選択呼出コードを特定し、特定したレピータに対応したアクセス方式でそのレピータへアクセスし、特定したチャンネル番号および選択呼出コードで無線通信を行い、コールナンバー切替手段１および制御手段８によりシンプレックスモード用のコールナンバーが選択された場合には、そのコールナンバーに対応するチャンネル番号および選択呼出コードを特定し、特定したチャンネル番号および選択呼出コードで無線通信を行うようにしてもよい。
【００６５】
これにより、さらに、チャンネル番号および選択呼出コードといった複数の無線通信設定項目がある場合に、レピータを使用して他の無線機と通信するときでも、他の無線機と直接通信するときでも、コールナンバーを選択入力するという簡単な操作で１台の無線機により各種レピータを使用し、それに応じた無線通信設定で通信を行うことができる。
【００６６】
なお、上述の実施の形態は、本発明の好適な例であるが、本発明は、これらに限定されるものではなく、本発明の要旨を逸脱しない範囲において、種々の変形、変更が可能である。
【００６７】
例えば、図４および図５に示したアクセス方式Ａ，Ｂは、アクセス方式の例であって、レピータ３０１Ａ，３０１Ｂが他のアクセス方式を採用した場合でも、同様にして実施可能である。
【００６８】
また、上述の実施の形態におけるレピータのアクセス方式の相違には、各レピータへのアクセスのための周波数帯の相違も必要に応じて含まれる。
【００６９】
また、上述の実施の形態では、無線機２１，２２は、２種類のレピータ３０１Ａ，３０１Ｂにアクセス可能とされているが、３種類以上のレピータにアクセス可能な無線機も同様にして実施可能である。
【００７０】
さらに、上述の実施の形態における表示手段３は、コールナンバーを数字として表示する以外にも、英字や漢字などの表示を行えるようにし、コールナンバーに付随する情報（例えば通信相手のユーザの名前や名称など）を表示するようにしてもよい。
【００７１】
【発明の効果】
本発明によれば、簡単な操作で、特定のアクセス方式のレピータにアクセスし特定の無線通信設定で通信可能な無線機を得ることができる。
【図面の簡単な説明】
【図１】図１は、本発明の実施の形態に係る無線機の構成を示すブロック図である。
【図２】図２は、本発明の実施の形態におけるコールナンバーとチャンネル番号、グループ番号およびレピータとの対応関係の一例を示す図である。
【図３】図３は、本発明の実施の形態に係る無線機によるレピータの利用について説明する図である。
【図４】図４は、レピータのアクセス方式Ａの一例を説明するタイミングチャートである。
【図５】図５は、レピータのアクセス方式Ｂの一例を説明するタイミングチャートである。
【図６】図６は、従来の無線機の構成例を示すブロック図である。
【図７】図７は、従来の無線機によるレピータの利用について説明する図である。
【符号の説明】
１　コールナンバー切替手段（選択手段）
４　ハードウェア制御手段（無線通信手段）
５　送信回路（無線通信手段）
６　受信回路（無線通信手段）
８　制御手段（選択手段）
２１，２２　無線機
３０１Ａ，３０１Ｂ　レピータ
【図１】
2004128800.tif 000003
【図２】
2004128800.tif 000004
【図３】
2004128800.tif 000005
【図４】
2004128800.tif 000006
【図５】
2004128800.tif 000007
【図６】
2004128800.tif 000008
【図７】
2004128800.tif 000009